(57)【特許請求の範囲】
【請求項１】
洗濯機台座の下方に取り付けられる脚と、脚に取り付けられる計量センサとを含む、自動計量構造を備えた洗濯機の脚であって、前記脚の底部に開口が下向きの空洞が設けられ、計量センサが支持部品により空洞内に密閉して取り付けられ、
前記支持部品が支持要素および固定要素を含み、前記固定要素によって前記支持要素は空洞内に可動的に取り付けられ、前記支持要素の上端面は前記計量センサと接触し、下端面は床で支持し、
前記支持要素は支持本体と、前記支持本体の周辺に設けられる環状凸リブとを含み、前記固定要素は環状の固定台であり、前記支持本体の下端は前記固定台の中空部を通り、前記固定台は環状凸リブの下方を支持し、前記脚と固定接続され、
前記支持本体が、前記計量センサの下方に設けられる支持片と、前記支持片の下方に設けられるゴム脚とを含み、前記ゴム脚が柱状構造であり、前記支持片は前記ゴム脚上端に被せられる円盤構造であり、前記ゴム脚の外周に前記環状凸リブが設けられることを特徴とする、洗濯機の脚。
【請求項２】
前記脚の軸方向が中空であり、計量センサの導線が軸方向の中空部を介して洗濯機本体と電気的に接続されることを特徴とする、請求項１に記載の自動計量構造を備えた洗濯機の脚。
【請求項３】
前記脚が接続部および支持部を含み、両者は一体の凸字状構造であり、接続部の軸方向は中空であり、外壁にねじ山が設けられ、支持部は接続部の下方に設けられ、空洞は支持部内に設けられ、接続部の中空部と通じることを特徴とする、請求項１または２に記載の自動計量構造を備えた洗濯機の脚。
【請求項４】
前記計量センサが脚と相対的に固定され、空洞内に取り付けられることを特徴とする、請求項１に記載の自動計量構造を備えた洗濯機の脚。
【請求項５】
前記固定台の内側縁部に突起が設けられ、突起により環状凸リブが支持されることを特徴とする、請求項１に記載の自動計量構造を備えた洗濯機の脚。
【請求項６】
前記支持要素および脚が周方向に相対的に固定されることを特徴とする、請求項１に記載の自動計量構造を備えた洗濯機の脚。
【請求項７】
前記空洞の内壁に軸方向に沿って補強リブが設けられることを特徴とする、請求項１に記載の自動計量構造を備えた洗濯機の脚。
【発明の詳細な説明】
【技術分野】
【０００１】
本発明は洗濯機の分野に関し、具体的に洗濯機の支持構造であり、特に自動計量構造を備えた洗濯機の脚である。
【背景技術】
【０００２】
既存の洗濯機は、いずれもモータが衣類を入れた洗濯槽を回転させ、正常に動作するものであり、いずれも衣類の計量機能を有する。洗濯機の計量機能を実現する方式はいくつかある。モータを第１所定回転速度に達するように制御して、モータを第１所定回転速度で定速回転させ、このときのモータの第１トルクを測定する。その後、モータを第１所定回転速度から第２所定回転速度まで加速するように制御し、モータが第１所定回転速度から第２所定回転速度まで上昇するときの上昇トルクを測定する。最後に、モータを第２所定回転速度で定速回転するように制御し、このときのモータの第２トルクを測定する。トルクの変化値に基づいて、洗濯槽内の衣類の重量を算出することができる。さらに、モータを第１所定回転速度に達するように制御し、その後、モータを突然停止させる。モータの停止後、回転が静止するまでの回転数を測定し、洗濯槽内の衣類の重量を算出することもできる。さらに、モータを第１所定回転速度に達するように制御し、その後、モータを突然停止させる。モータの停止後に生じる逆起電力を測定し、洗濯槽内の衣類の重量を算出することもできる。
【０００３】
上記のどの方式で衣類重量の測定を実現しても、モータにより衣類重量を測定する。これらの測定方式は、モータの種類、伝動ベルトの張力、洗濯槽システムの摩擦力などの条件の影響をたびたび受ける。その測定精度はいずれも高くなく、間違った判断をすることも非常に多い。いつも洗濯槽内の少ない衣類を多いと測定していると、洗濯水量の浪費となる。多くの場合、洗濯槽内の多くの衣類を少ないと測定していると、洗濯水量の不足となり、衣類をきれいに洗浄できない。この種の計量方式は、一般的な参考とすることしかできず、他にも水量の多少を判断することができない。現在、人々は環境保護を提唱している。水の使用量を節約するだけでなく、洗剤の使用量も少なくして、衣類、洗剤および水の使用量を最適に対応させる必要があり、上記計量方法はユーザの要求を満たすのが難しい。
【０００４】
中国特許出願番号第２０１３２０３４０３０４．３号明細書は、サスペンションシステムを備えた洗濯機を開示しており、洗濯機の分野に関し、筐体および洗濯槽を含む。以下を特徴とする。該洗濯機はさらにサスペンションシステムを含み、前記サスペンションシステムはサスペンション脚、吊棒、スプリングブッシュ、スプリング、スプリングシート、計量センサおよびセンサ台を含む。該サスペンションシステムはサスペンション脚を介して筐体と固定接続され、スプリングブッシュを介して洗濯槽と固定接続される。前記吊棒はサスペンション脚に吊るして取り付けられ、前記スプリングブッシュ、スプリング、スプリングシート、計量センサおよびセンサ台はいずれも吊棒に組み立てられる。前記スプリングは、スプリングブッシュおよびスプリングシートの間に吊るして取り付けられる。前記計量センサは、スプリングシートとセンサ台との間に取り付けられ、センサ台および吊棒は相対的に固定される。
【０００５】
上記構造は精確に測定することができるが、以下の欠点も存在している。計量センサはサスペンションシステムに取り付けられるため、洗濯機アセンブリの取付は比較的複雑であり、配線は困難であり、安全面で危険が存在する。他に、サスペンションシステムは主に減衰作用に用いられるため、動作過程で、洗濯槽アセンブリの振動が比較的大きいと、スプリングシートとセンサ台との間に取り付けられる計量センサの圧力変化が比較的大きくなり、使用寿命が短くなる。
【０００６】
中国特許出願番号第２０１２１０１７６７８６．３号明細書は、洗濯機の衣類重量感知装置および使用方法を開示しており、洗濯機に設置される計量装置と、該計量装置に接続される計量回路とを含む。前記計量回路はマイクロプロセッサ、相互に直列接続してマイクロプロセッサに接続されるバリスタおよび分圧保護抵抗を含み、バリスタの抵抗値の変化により計算する。該計量装置は筐体のカバー板の上方に位置し、衣類を置くのに便利である。該計量装置は、電子天秤などの計量装置でよい。
【０００７】
該構造は、既存の電子天秤を洗濯機筐体の上方に嵌め込むことに相当する。衣類の重量を測定することができるが、毎回の洗濯前に、先に衣類を計量装置上に置いて測定し、その後洗濯機内に投入して洗濯しなければならず、ユーザの使用が非常に面倒である。次に、該装置は洗濯機内の水量を測定することができない。
【０００８】
このことを考慮して、特に本発明を示す。
【先行技術文献】
【特許文献】
【０００９】
【特許文献１】中国特許出願番号第２０１３２０３４０３０４．３号明細書
【特許文献２】中国特許出願番号第２０１２１０１７６７８６．３号明細書
【発明の概要】
【発明が解決しようとする課題】
【００１０】
本発明が解決しようとする技術的問題は、既存技術の不足を克服することであり、構造が簡単で、取付が便利な、自動計量構造を備えた洗濯機の脚を提供する。該計量、測定は精確であり、使用寿命が長い。
【課題を解決するための手段】
【００１１】
上記技術的問題を解決するため、本発明が採用する技術案の基本的な構想は次の通りである。
自動計量構造を備えた洗濯機の脚は、洗濯機台座の下方に取り付けられる脚と、脚に取り付けられる計量センサとを含む。前記脚の底部に開口が下向きの空洞が設けられ、計量センサは支持部品により空洞内に密閉して取り付けられる。
【００１２】
さらに、前記脚の軸方向は中空であり、計量センサの導線は、軸方向の中空部を介して洗濯機本体と電気的に接続される。
【００１３】
さらに、前記脚は接続部および支持部を含み、両者は一体の凸字状構造である。接続部の軸方向は中空であり、外壁にねじ山が設けられ、支持部は接続部の下方に設けられる。空洞は支持部内に設けられ、接続部の中空部と通じる。
【００１４】
さらに、前記脚は調整ボルトであり、ボルト軸部およびボルト頭部を含む。ボルト頭部に空洞が設けられ、計量センサは空洞内に取り付けられる。ボルト軸部に軸方向に沿って、計量センサの配線のための中空部が設けられ、中空部は空洞と通じる。
【００１５】
さらに、前記計量センサは脚と相対的に固定され、空洞内に取り付けられる。好ましくは、計量センサはねじで空洞内に固定されるか、またはプラスチックホットメルト溶接工程など、その他の固定方式が採用される。
【００１６】
さらに、前記支持部品は支持要素および固定要素を含み、固定要素によって支持要素は空洞内に可動的に取り付けられる。支持要素の上端面は計量センサと接触し、下端面は床で支持する。
【００１７】
さらに、前記支持要素は支持本体と、支持本体の周辺に設けられる環状凸リブとを含む。前記固定要素は環状の固定台であり、支持本体の下端は固定台の中空部を通る。固定台は環状凸リブの下方で支持し、脚と固定接続される。
【００１８】
さらに、前記支持本体はゴム脚と、ゴム脚の上方に設けられる支持片とを含み、ゴム脚は柱状構造である。支持片はゴム脚上端に被せられる円盤構造であり、ゴム脚の外周に前記環状凸リブが設けられる。
【００１９】
さらに、前記固定台の内側縁部に突起が設けられ、突起により環状凸リブが支持される。
【００２０】
さらに、前記支持要素および脚は周方向に相対的に固定される。
【００２１】
さらに、前記空洞の内壁に軸方向に沿って補強リブが設けられる。
【発明の効果】
【００２２】
上記技術案を採用すると、本発明は既存技術と比較して、以下の有益な効果を有する。
【００２３】
本発明は、洗濯機の洗濯槽内の衣類重量および水量を自動的に計量することができる構造を提供する。計量の精度が高く、誤差が小さい特徴を有し、洗濯前の衣類の重量、取水の量、排水の量、衣類に含まれる水量などを正確に判断することができ、洗濯機の自動化、インテリジェント化の機能を高める。
【００２４】
本発明は洗濯機に用いられ、衣類を精確に測定することができる。さらに適した洗濯プログラムを採用し、適当な水量を添加して洗濯し、省エネ、節水、低排出、環境保護を実現する。コストを節約し、同時に衣類をきれいに洗浄することができる。
【図面の簡単な説明】
【００２５】
【図１】図１は、本発明の洗濯機の構造概要図である。
【図２】図２は、本発明の自動計量構造を備えた洗濯機の脚の概要図である。
【図３】図３は、本発明の自動計量構造を備えた洗濯機の脚の断面図である。
【図４】図４は、本発明の自動計量構造を備えた洗濯機の脚の組立概要図である。
【発明を実施するための形態】
【００２６】
以下、図を組み合わせて、本発明の具体的な実施方式について、さらに詳細に記載する。
【００２７】
図１から図４に示すように、本発明の前記自動計量構造を備えた洗濯機の脚は、洗濯機台座１の下方に取り付けられる脚２と、脚２に取り付けられる計量センサ３とを含む。前記脚２の底部に開口が下向きの空洞４が設けられ、計量センサ３は支持部品５により空洞４内に密閉して取り付けられる。前記脚２の軸方向は中空であり（図３を参照）、計量センサ３の導線３１は軸方向の中空部２０を介して洗濯機本体６と電気的に接続される。
【００２８】
図２および図３に示すように、本発明の前記脚２は接続部２１および支持部２２を含み、両者は一体の凸字状構造である。接続部２１の軸方向は中空であり、外壁にねじ山２１１が設けられる。支持部２２は接続部２１の下方に設けられ、床で支持する。空洞４は支持部２２内に設けられ、接続部２１の中空部２１０と通じる。空洞の開口は下向きで床に正対し、支持部品５により床で支持する。
【００２９】
本発明の実施例の前記脚２は調整ボルトであり、ボルト軸部およびボルト頭部を含む。ボルト軸部は洗濯機台座１と接続される接続部２１であり、ボルト頭部は支持部２２である。ボルト軸部の軸方向の中空は、計量センサ３の配線に用いられる。
【００３０】
脚が回転して、計量センサと脚との間に相対運動が生じ、計量、測定が不正確になるのを防止するため、本発明の前記計量センサ３は脚２と相対的に固定され、空洞４内に取り付けられる。好ましくは、計量センサ３はねじで空洞４内に固定されるか、またはプラスチックホットメルト溶接工程など、その他の固定方式が採用される。
【００３１】
本発明の前記支持部品５は支持要素５１および固定要素５２を含み、固定要素５２によって支持要素５１は空洞４の開口内に可動的に取り付けられる。支持要素５１の上端面は計量センサ３と接触し、下端面は床で支持する。洗濯機アセンブリに重量変化が生じたとき、支持要素が受ける重力は、軸方向の変形により計量センサに伝達される。
【００３２】
具体的に、図３および図４に示すように、前記支持要素５１は支持本体５１１と、支持本体５１１周辺に設けられる環状凸リブ５１２とを含む。前記固定要素５２は環状の固定台であり、支持本体５１１の下端は固定台の中空部５２０を通る。固定台５２は環状凸リブ５１２の下方で支持し、脚２と固定接続される。該構造により、固定台は支持本体を空洞内に位置制限することができるが、その軸方向の変形は限定されない。固定台は、脚の支持部２２とねじにより固定接続される。好ましくは、前記固定台５２の内側縁部に突起５２１が設けられ、突起５２１により環状凸リブ５１２は支持される。該構造により、固定台５２および支持要素５１の組立工程はより無駄がない。
【００３３】
さらに、前記支持本体５１１はゴム脚５１１２と、ゴム脚５１１２の上方に設けられる支持片５１１１とを含み、ゴム脚５１１２は柱状構造である。支持片５１１１はゴム脚５１１２上端に被せられる円盤構造であり、ゴム脚５１１２の外周に前記環状凸リブ５１２が一体に設けられる。ゴム脚５１２は一定の緩衝作用を有し、支持片は強度が充分で、変形が比較的小さい材料で製造される。支持片が軸方向に垂直な面でスライドし、計量センサの測定精度に影響を及ぼすのを防止するため、支持片５１１１は軸方向に垂直な面で脚２と相対的に固定される。ゴム脚５１１２および支持片５１１１は相対的に回転しても、相対的に固定接続してもよい。
【００３４】
または、上記支持片５１１１およびゴム脚５１１２は、一体構造に設計することができる。
【００３５】
さらに、前記空洞４の内壁に軸方向に沿って補強リブ４１が設けられ、支持部の支持強度が増強される。好ましくは、数組の補強リブを有し、隣接する２つの補強リブ間は位置制限スライドレールを構成する。支持要素の外壁に位置制限スライドブロックが設けられ（図示せず）、位置制限スライドブロックは位置制限スライドレール内にスライド可能に取り付けられる。これにより支持要素は、空洞内で軸方向に沿って上下に運動することができるが、軸方向に垂直な面では脚と相対的に固定され、共に回転する。
【００３６】
上記実施案は本発明の好ましい実施例を記載したに過ぎず、本発明の構想および範囲を限定しない。本発明の設計の発想を逸脱しない前提で、当業者が本発明の技術案に対して行う各種の変更および改良は、いずれも本発明の保護範囲に属する。
【図１】
0006648382.tif 000002
【図２】
0006648382.tif 000003
【図３】
0006648382.tif 000004
【図４】
0006648382.tif 000005